【手続補正書】
【提出日】平成26年11月12日(2014.11.12)
【手続補正１】
【補正対象書類名】明細書
【補正対象項目名】発明の名称
【補正方法】変更
【補正の内容】
【発明の名称】情報処理装置、情報処理方法
【手続補正２】
【補正対象書類名】明細書
【補正対象項目名】００１５
【補正方法】変更
【補正の内容】
【００１５】
本発明の目的を達成するために、例えば、本発明の情報処理装置は以下の構成を備える。即ち、外部装置から要求されたデータを該外部装置に対して送信する情報処理装置であって、
マルチメディアデータから部分的なデータを抽出する方式毎に、該方式により抽出されるデータに対する圧縮の有効度を示す情報を保持する保持手段と、
前記マルチメディアデータから抽出する部分を規定する第１の記述、該部分を抽出する方式を規定する第２の記述、を含む要求メッセージを前記外部装置から受信する手段と、
前記マルチメディアデータから、前記第１の記述により規定されている部分を部分データとして抽出する手段と、
前記第２の記述により規定されている方式に対応する情報を前記保持手段から取得する取得手段と、
前記取得手段が取得した情報に基づいて、前記部分データの圧縮が有効か否かを決定する決定手段と、
前記部分データの圧縮が有効であると決定された場合は、前記部分データを圧縮して得られる圧縮データを外部装置に対して送信し、前記部分データの圧縮が有効ではないと決定された場合は、前記部分データを前記外部装置に対して送信する送信手段と
を備えることを特徴とする。
【手続補正３】
【補正対象書類名】特許請求の範囲
【補正対象項目名】全文
【補正方法】変更
【補正の内容】
【特許請求の範囲】
【請求項１】
外部装置から要求されたデータを該外部装置に対して送信する情報処理装置であって、
マルチメディアデータから部分的なデータを抽出する方式毎に、該方式により抽出されるデータに対する圧縮の有効度を示す情報を保持する保持手段と、
前記マルチメディアデータから抽出する部分を規定する第１の記述、該部分を抽出する方式を規定する第２の記述、を含む要求メッセージを前記外部装置から受信する手段と、
前記マルチメディアデータから、前記第１の記述により規定されている部分を部分データとして抽出する手段と、
前記第２の記述により規定されている方式に対応する情報を前記保持手段から取得する取得手段と、
前記取得手段が取得した情報に基づいて、前記部分データの圧縮が有効か否かを決定する決定手段と、
前記部分データの圧縮が有効であると決定された場合は、前記部分データを圧縮して得られる圧縮データを外部装置に対して送信し、前記部分データの圧縮が有効ではないと決定された場合は、前記部分データを前記外部装置に対して送信する送信手段と
を備えることを特徴とする情報処理装置。
【請求項２】
前記決定手段は、前記情報が示す有効度に基づいて計算される値が閾値よりも大きいか否かを決定し、
前記送信手段は、前記値が前記閾値よりも大きい場合、前記部分データを圧縮し、該圧縮により得られる圧縮データを前記外部装置に対して送信し、前記値が前記閾値以下の場合は、前記部分データを前記外部装置に対して送信することを特徴とする請求項１に記載の情報処理装置。
【請求項３】
前記要求メッセージには、前記外部装置が対応可能な圧縮方式を規定する第３の記述、が含まれており、
前記送信手段は、前記値が前記閾値よりも大きい場合、前記部分データのコーデックの種別を取得し、該取得したコーデックの種別に対して予め設定された圧縮方式を取得し、該取得した圧縮方式と前記第３の記述が規定する圧縮方式とで共通の圧縮方式に従って前記部分データを圧縮し、該圧縮により得られる前記圧縮データを前記外部装置に対して送信する
ことを特徴とする請求項２に記載の情報処理装置。
【請求項４】
前記第２の記述が２つ以上の方式を規定する場合、
前記取得手段は、前記２つ以上の方式のそれぞれに対応する情報を前記保持手段から取得し、
前記決定手段は、前記２つ以上の方式のそれぞれについて前記取得手段が取得した情報が示す有効度の総和が閾値よりも大きいか否かを決定し、
前記送信手段は、前記総和が閾値よりも大きい場合、前記部分データを圧縮して得られる圧縮データを外部装置に対して送信し、該総和が該閾値よりも小さい場合は、前記部分データを前記外部装置に対して送信する
ことを特徴とする請求項２又は３に記載の情報処理装置。
【請求項５】
更に、
前記マルチメディアデータのデータサイズと、該マルチメディアデータから部分的なデータを抽出する方式毎の圧縮率と、の積を取得する手段を備え、
前記決定手段は、前記積と、前記取得手段が取得した情報が示す有効度の総和と、の積を算出し、該算出した積が閾値よりも大きいか否かを決定し、
前記送信手段は、前記算出した積が閾値よりも大きい場合、前記部分データを圧縮して得られる圧縮データを外部装置に対して送信し、前記算出した積が該閾値よりも小さい場合は、前記部分データを前記外部装置に対して送信する
ことを特徴とする請求項４に記載の情報処理装置。
【請求項６】
前記送信手段は、前記算出した積が閾値よりも大きい場合、前記算出した積に対して予め対応づけられている圧縮方式に従って前記部分データを圧縮し、該圧縮によって得られる圧縮データを外部装置に対して送信する
ことを特徴とする請求項５に記載の情報処理装置。
【請求項７】
前記要求メッセージに含まれている前記第２の記述が規定する方式は、temporal分割方式、spatial分割方式、track分割方式のいずれか１つであることを特徴とする請求項１乃至６の何れか１項に記載の情報処理装置。
【請求項８】
前記要求メッセージに含まれている前記第２の記述が規定する方式は、動画像である前記マルチメディアデータから指定された再生区間内の部分動画像を抽出するtemporal分割方式、動画像である前記マルチメディアデータから指定された画像領域を抽出するspatial分割方式、動画像である前記マルチメディアデータから字幕トラック部分を抽出するtrack分割方式、のいずれか１つであることを特徴とする請求項７に記載の情報処理装置。
【請求項９】
前記決定手段は、前記要求メッセージに含まれている前記第２の記述が規定する方式が前記track分割方式であった場合は、前記部分データの圧縮が有効であると決定することを特徴とする請求項７又は８に記載の情報処理装置。
【請求項１０】
外部装置から要求されたデータを該外部装置に対して送信する情報処理装置であって、マルチメディアデータから部分的なデータを抽出する方式毎に、該方式により抽出されるデータに対する圧縮の有効度を示す情報を保持する保持手段を有する前記情報処理装置が行う情報処理方法であって、
前記情報処理装置の受信手段が、前記マルチメディアデータから抽出する部分を規定する第１の記述、該部分を抽出する方式を規定する第２の記述、を含む要求メッセージを前記外部装置から受信する工程と、
前記情報処理装置の抽出手段が、前記マルチメディアデータから、前記第１の記述により規定されている部分を部分データとして抽出する工程と、
前記情報処理装置の取得手段が、前記第２の記述により規定されている方式に対応する情報を前記保持手段から取得する取得工程と、
前記情報処理装置の決定手段が、前記取得工程で取得した情報に基づいて、前記部分データの圧縮が有効か否かを決定する決定工程と、
前記情報処理装置の送信手段が、前記部分データの圧縮が有効であると決定された場合は、前記部分データを圧縮して得られる圧縮データを外部装置に対して送信し、前記部分データの圧縮が有効ではないと決定された場合は、前記部分データを前記外部装置に対して送信する送信工程と
を備えることを特徴とする情報処理方法。
【請求項１１】
コンピュータを請求項１乃至９の何れか１項に記載の情報処理装置の各手段として機能させるためのコンピュータプログラム。